【手続補正書】
【提出日】平成20年11月17日(2008.11.17)
【手続補正１】
【補正対象書類名】特許請求の範囲
【補正対象項目名】全文
【補正方法】変更
【補正の内容】
【特許請求の範囲】
【請求項１】
内腔を含む一体構造のキャップ本体；
前記キャップ本体の下部に組み合わされた送出端であって、前記内腔の下部に閉口端を形成し、且つ、空気と湿気の通過を妨げるシールを前記キャップ本体とともに形成する送出端；及び、
中空部、閉口端を形成する蓋、及び開口端を含む剛直構造のプランジャーであって、当該プランジャーに前記蓋が一体に形成されているプランジャーを備えたキャップであって；
前記プランジャーが前記キャップ本体内に配置されることにより、当該プランジャーの閉口端と前記内腔の閉口端の間に小室を形成し、且つ、当該小室内にプランジャーの開口端が配置された状態をとることにより、当該小室がプランジャーの中空部を含んでおり；
前記小室内に少なくとも一つの成分が含まれており；
前記プランジャーは収容位置から作動位置へ移動可能であり、その移動によって送出端を開放位置へ移動させて、前記シールを開封し、前記少なくとも一つの成分を前記小室から出すことができ；
前記送出端は開口を含み、当該送出端の開放位置への移動により前記シールが破断されて、少なくとも一つの成分が前記開口を通過して流れ出すことが可能になることを特徴とするキャップ。
【請求項２】
前記プランジャーと前記キャップ本体が、当該プランジャーを収容位置に維持し、且つ、当該プランジャーを作動位置へ移動させることが可能な固定部を含む、請求項１に記載のキャップ。
【請求項３】
前記固定部は、前記プランジャーの移動を、前記キャップ本体と当該プランジャーを分離させることが可能な方向に制限する、請求項２に記載のキャップ。
【請求項４】
前記固定部は、少なくともフランジ部と溝部からなる、請求項２又は３に記載のキャップ。
【請求項５】
前記固定部は、前記プランジャーが収容位置から作動位置へ移動された後、当該プランジャーを作動位置に維持する、請求項２乃至４のいずれか１項に記載のキャップ。
【請求項６】
前記キャップ本体は、内側に傾斜する内壁を含む、請求項１乃至５のいずれか１項に記載のキャップ。
【請求項７】
前記プランジャーは、キャップ本体の前記傾斜した内壁との間で摩擦しあう、請求項６に記載のキャップ。
【請求項８】
前記送出端は、高分子材料で形成されている、請求項１乃至７のいずれか１項に記載のキャップ。
【請求項９】
前記送出端の開口が、当該送出端の周囲に配置されていることによって、前記少なくとも一つの成分が前記小室から流出できる、請求項１乃至８のいずれか１項に記載のキャップ。
【請求項１０】
前記送出端の開口が、当該送出端の周囲を取り巻いて間隔を空けて配置されている、請求項９に記載のキャップ。
【請求項１１】
前記送出端は、略円錐状表面を有する横基板部材を含む、請求項１乃至１０のいずれか１項に記載のキャップ。
【請求項１２】
前記略円錐状表面の端部は、前記シールが破断した時にキャップ本体から分離する、請求項１１に記載のキャップ。
【請求項１３】
前記作動位置において、前記プランジャー、前記キャップ本体、及び前記送出端は、一体化したユニットを構成する、請求項１乃至１２のいずれか１項に記載のキャップ。
【請求項１４】
前記少なくとも一つの成分は、少なくとも２つの異なる特徴を有する複数の成分からなる、請求項１乃至１３のいずれか１項に記載のキャップ。
【請求項１５】
前記一体構造のキャップ本体は、作動位置において前記少なくとも一つの成分が容器内に流入できるように、当該キャップ本体を当該容器に取り付けるための部分をさらに含んでいる、請求項１乃至１４のいずれか１項に記載のキャップ。
【請求項１６】
前記請求項１５に記載のキャップと、容器との組み合わせ体。
【請求項１７】
前記プランジャーが、収容位置と作動位置の間で垂直移動させるために取り付けられている、請求項１乃至１６のいずれか１項に記載のキャップ。
【請求項１８】
前記キャップ本体は、剛直構造である、請求項１乃至１７のいずれか１項に記載のキャップ。
【請求項１９】
前記プランジャーが、前記中空部を取り囲む壁を含んでおり、且つ、当該壁は前記送出端の周囲に接触して前記シールを破断する、請求項１乃至１８のいずれか１項に記載のキャップ。
【請求項２０】
前記送出端と前記キャップ本体は一体化しており、；
キャップ本体は、前記小室の少なくとも一部を形成する中空部を取り囲む壁を有し；
送出端の周囲部が、前記小室の下部を形成する壁の下部に取り付けられており；且つ、
前記プランジャーが、送出端とキャップ本体によって前記周囲部の全周に沿って形成された前記シールを破断するために、収容位置と作動位置の間で移動可能である、請求項１乃至１９のいずれか１項に記載のキャップ。
【請求項２１】
送出部材をさらに含む、請求項１乃至２０のいずれか１項に記載のキャップ。
【請求項２２】
内腔を含む一体構造のキャップ本体；
前記キャップ本体の下部に組み合わされた送出端であって、前記内腔の下部に閉口端を形成し、且つ、空気と湿気の通過を妨げるシールを前記キャップ本体とともに形成する送出端；及び、
中空部、閉口端を形成する蓋、及び開口端を含む剛直構造のプランジャーであって、当該プランジャーに前記蓋が一体に形成されているプランジャーを備えたキャップであって；
前記プランジャーが前記キャップ本体内に配置されることにより、当該プランジャーの閉口端と前記内腔の閉口端の間に小室を形成し、且つ、当該小室内にプランジャーの開口端が配置された状態をとることにより、当該小室がプランジャーの中空部を含んでおり；
前記小室内に少なくとも一つの成分が含まれており；
前記プランジャーは収容位置から作動位置へ移動可能であり、その移動によって送出端を開放位置へ移動させて、前記シールを破断し、前記少なくとも一つの成分を前記小室から出すことができ；
さらに、当該キャップは開封帯を備えており、当該開封帯は、前記蓋を収容状態に維持し、且つ、開封帯が除去された場合には、目視可能な印として不正開封防止の役割を果たすための圧縮バリアとなることを特徴とするキャップ。
【請求項２３】
前記送出端は開口を含み、当該送出端の移動により前記シールが開封されて、少なくとも一つの成分が前記開口を通過して流れ出すことが可能になることを特徴とする、請求項２２に記載のキャップ。
【請求項２４】
内腔を含む一体構造のキャップ本体；
前記キャップ本体の下部に組み合わされた送出端であって、前記内腔の下部に閉口端を形成し、且つ、空気と湿気の通過を妨げるシールを前記キャップ本体とともに形成する送出端；及び、
中空部、閉口端を形成する蓋、及び開口端を含む剛直構造のプランジャーであって、当該プランジャーに前記蓋が一体に形成されているプランジャーを備えたキャップであって；
前記プランジャーが前記キャップ本体内に配置されることにより、当該プランジャーの閉口端と前記内腔の閉口端の間に小室を形成し、且つ、当該小室内にプランジャーの開口端が配置された状態をとることにより、当該小室がプランジャーの中空部を含んでおり；
前記小室内に少なくとも一つの成分が含まれており；
前記プランジャーは収容位置から作動位置へ移動可能であり、その移動によって送出端を開放位置へ移動させて、前記シールを破断し、前記少なくとも一つの成分を前記小室から出すことができ；
前記プランジャーと前記キャップ本体が、当該プランジャーを収容位置に維持し、且つ、当該プランジャーを作動位置へ移動させることが可能な固定部を含んでおり；
前記送出端は開口を含み、前記シールが開封された後、少なくとも一つの成分が当該開口を通過して流れ出すことが可能であり；
前記送出端の開口が、当該送出端の周囲に配置されていることによって、前記少なくとも一つの成分が前記小室から流出することができ；且つ、
前記作動位置において、前記プランジャー、前記キャップ本体、及び前記送出端は、一体化したユニットを構成していることを特徴とするキャップ。
【請求項２５】
キャップの部品の製造方法であって、
内腔を含む一体構造のキャップ本体を製造する工程；
中空部、閉口端を形成する蓋、及び開口端を含む剛直構造のプランジャーであって、当該プランジャーに前記蓋が一体に形成されているプランジャーを製造する工程；
前記キャップ本体を製造する工程及び前記プランジャーを製造する工程において、前記プランジャーと前記キャップ本体は、当該プランジャーが当該キャップ本体の内腔内で第一位置と第二位置の間を移動することができるように、且つ、当該プランジャーが当該キャップ本体とともに、少なくとも一つの成分を受容する小室の少なくとも一部分を形成できるようにするために、当該プランジャーの前記開口端が前記小室内に配置された状態をとるように、製造され；及び、
前記キャップ本体の下部に組み合わせることができる送出端であって、且つ、前記内腔の下部に閉口端を形成することによって空気と湿気の通過を妨げるシールを前記キャップ本体とともに形成することができ、前記送出端は開口を含み、当該送出端は前記シールが破断される開放位置への移動が可能であり、その破断によって少なくとも一つの成分が前記開口を通過して流れ出すことを可能とする送出端を製造する工程、を含むことを特徴とする製造方法。
【請求項２６】
前記送出端の開口が、当該送出端の周囲を取り巻いて間隔を空けて配置される、請求項２５に記載の製造方法。
【請求項２７】
前記送出端は、略円錐状表面を有する横基板部材を含む、請求項２５又は２６に記載のキャップ。
【請求項２８】
容器に取り付けられたキャップの作動方法であって、前記キャップは、
内腔を含む一体構造のキャップ本体；
前記キャップ本体の下部に組み合わされた送出端であって、前記内腔の下部に閉口端を形成し、且つ、空気と湿気の通過を妨げるシールを前記キャップ本体とともに形成する送出端；及び、
中空部、閉口端を形成する蓋、及び開口端を含む剛直構造のプランジャーであって、当該プランジャーに前記蓋が一体に形成されているプランジャーを備えており、
前記プランジャーが前記キャップ本体内に配置されることにより、当該プランジャーの閉口端と前記内腔の閉口端の間に小室を形成し、且つ、当該小室内にプランジャーの開口端が配置された状態をとることにより、当該小室がプランジャーの中空部を含んでおり；
前記小室内に少なくとも一つの成分が含まれており；
前記プランジャーは収容位置から作動位置へ移動可能であり、その移動によって送出端を開放位置へ移動させて、前記シールを開封し、前記少なくとも一つの成分を前記小室から出すことができ；
前記送出端は開口を含み、当該送出端の開放位置への移動により前記シールが破断されて、少なくとも一つの成分が前記開口を通過して流れ出すことが可能になるキャップであって、；
前記少なくとも一つの成分が前記小室から出るように前記送出端を前記シールが破断される開放位置へ移動させるために、前記プランジャーの蓋を押して当該プランジャーを収容位置から作動位置へ移動させることを特徴とする、作動方法。
【請求項２９】
前記送出端は開口を含み、当該送出端が開放位置へ移動されて前記シールが破断されることによって、少なくとも一つの成分が前記開口を通過して流れ出す、請求項２８に記載の作動方法。
【請求項３０】
前記送出端は、略円錐状表面を有する横基板部材を含む、請求項２８又は２９に記載の作動方法。
【請求項３１】
容器に取り付けられたキャップの作動方法であって、前記キャップは、
内腔を含む一体構造のキャップ本体；
前記キャップ本体の下部に組み合わされた送出端であって、前記内腔の下部に閉口端を形成し、且つ、空気と湿気の通過を妨げるシールを前記キャップ本体とともに形成する送出端；及び、
中空部、閉口端を形成する蓋、及び開口端を含む剛直構造のプランジャーであって、当該プランジャーに前記蓋が一体に形成されているプランジャーを備えており；
前記プランジャーが前記キャップ本体内に配置されることにより、当該プランジャーの閉口端と前記内腔の閉口端の間に小室を形成し、且つ、当該小室内にプランジャーの開口端が配置された状態をとることにより、当該小室がプランジャーの中空部を含んでおり；
前記小室内に少なくとも一つの成分が含まれており；
前記プランジャーは収容位置から作動位置へ移動可能であり、その移動によって送出端を開放位置へ移動させて、前記シールを破断し、前記少なくとも一つの成分を前記小室から出すことができ；
さらに、開封帯を備えており、当該開封帯は、前記蓋を収容状態に維持し、且つ、開封帯が除去された場合には、目視可能な印として不正開封防止の役割を果たすための圧縮バリアとなる、キャップであって、；
前記少なくとも一つの成分が前記小室から出るように前記送出端を前記シールが破断される開放位置へ移動させるために、前記開封帯を除去し、前記プランジャーの蓋を押すことによって当該プランジャーを収容位置から作動位置へ移動させることを特徴とする、作動方法。
【請求項３２】
キャップの部品の組立て方法であって、
前記キャップの部品には、少なくとも、内腔を含む一体構造のキャップ本体と、中空部、閉口端を形成する蓋、及び開口端を含む剛直構造のプランジャーであって、当該プランジャーに前記蓋が一体に形成されているプランジャーと、送出端とが含まれ、；
前記プランジャーが前記キャップ本体の内腔内で第一位置と第二位置の間を移動することができるように、且つ、当該プランジャーが当該キャップ本体とともに、少なくとも一つの成分を受容する小室の少なくとも一部分を形成できるようにするために、当該プランジャーの前記開口端が前記小室内に配置された状態をとるように、プランジャーとキャップ本体を組立てる工程；及び、
前記送出端は開口を含み、当該送出端を前記キャップ本体の下部に組み合わせ、且つ、前記内腔の下部に閉口端を形成することによって、空気と湿気の通過を妨げるシールを前記キャップ本体とともに形成するように、且つ、当該送出端は前記シールが破断される開放位置への移動が可能であり、その破断によって少なくとも一つの成分が前記開口を通過して流れ出すことを可能とするように、送出端とキャップ本体を組立てる工程、を含むことを特徴とする組立て方法。
【請求項３３】
前記小室内に前記少なくとも一つの成分を充填する工程をさらに含む、請求項３２に記載の組立て方法。
【請求項３４】
キャップの部品の製造方法であって、
内腔を含む一体構造のキャップ本体を製造する工程；
中空部、閉口端を形成する蓋、及び開口端を含む剛直構造のプランジャーであって、当該プランジャーに前記蓋が一体に形成されているプランジャーを製造する工程；
前記キャップ本体を製造する工程及び前記プランジャーを製造する工程において、前記プランジャーと前記キャップ本体は、当該プランジャーが当該キャップ本体の内腔内で第一位置と第二位置の間を移動することができるように、且つ、当該プランジャーが当該キャップ本体とともに、少なくとも一つの成分を受容する小室の少なくとも一部分を形成できるようにするために、当該プランジャーの前記開口端が前記小室内に配置された状態をとるように、製造され；及び、
前記キャップ本体の下部に組み合わせることができる送出端であって、且つ、前記内腔の下部に閉口端を形成することによって空気と湿気の通過を妨げるシールを前記キャップ本体とともに形成することができ、当該送出端は前記シールが破断される第二位置への移動が可能であり、その破断によって少なくとも一つの成分が前記小室から流れ出すことを可能とする送出端を製造する工程；及び、
前記蓋を前記第一位置に維持するための圧縮バリアの役割を果たす開封帯であって、当該開封帯が除去された場合には、目視可能な印として不正開封防止の役割を果たす開封帯を製造する工程、を含むことを特徴とする製造方法。
【請求項３５】
キャップの部品の組立て方法であって、
前記キャップの部品には、少なくとも、内腔を含む一体構造のキャップ本体と、中空部、閉口端を形成する蓋、及び開口端を含む剛直構造のプランジャーであって、当該プランジャーに前記蓋が一体に形成されているプランジャーと、送出端と、開封帯とが含まれ、；
前記プランジャーが前記キャップ本体の内腔内で第一位置と第二位置の間を移動することができるように、且つ、当該プランジャーが当該キャップ本体とともに、少なくとも一つの成分を受容する小室の少なくとも一部分を形成できるようにするために、当該プランジャーの前記開口端が前記小室内に配置された状態をとるように、プランジャーとキャップ本体を組立てる工程；
当該送出端を前記キャップ本体の下部に組み合わせ、且つ、前記内腔の下部に閉口端を形成することによって、空気と湿気の通過を妨げるシールを前記キャップ本体とともに形成するように、且つ、当該送出端は前記シールが破断される第二位置への移動が可能であり、その破断によって少なくとも一つの成分が前記小室から流れ出すことを可能とするように、送出端とキャップ本体を組立てる工程；及び、
前記蓋を第一位置に維持し、且つ、開封帯が除去された場合には、目視可能な印として不正開封防止の役割を果たすための圧縮バリアを形成するために、開封帯とキャップ本体とプランジャーを組立てる工程、を含むことを特徴とする組立て方法。
【請求項３６】
前記小室内に前記少なくとも一つの成分を充填する工程をさらに含む、請求項３５に記載の組立て方法。
【請求項３７】
前記請求項１乃至２４の何れか１項に記載のキャップを容器に適用することを特徴とする、容器にキャップを適用する方法。